(57)【特許請求の範囲】
【請求項１】
受信された波長ラベル信号をスペクトル解析し、
スペクトル解析結果に基づいて以下の２つの条件、即ち、
対応する波長ラベル信号が波長ラベル周波数をロードすることにより伝送した波長ラベル信号であるＭ個の時間窓にＮ個の連続的な時間窓が存在し、前記Ｎ個の時間窓に対応するＮ個の波長ラベル信号の振幅値の間の差の最大値が予め設定された振幅の閾値よりも小さく、且つその振幅値がいずれも参照振幅範囲以外であり、前記Ｍ及びＮがいずれも１より大きい整数であるという条件、
対応する波長ラベル信号が波長ラベル周波数をロードすることにより伝送した波長ラベル信号であるＭ個の時間窓にＮ個の連続的な時間窓が存在し、前記Ｎ個の時間窓に対応するＮ個の波長ラベル信号の振幅値の間の差の最大値が予め設定された振幅の閾値よりも小さく、且つその位相値の間の差の最大値が予め設定された位相閾値より小さく、且つその位相値がいずれも参照位相範囲以外であり、前記Ｍ及びＮがいずれも１より大きい整数であるという条件のうちの少なくとも１つが満たされたと判断した場合、波長ラベルが衝突すると判定することを含む波長ラベル衝突検出方法。
【請求項２】
前記参照振幅範囲は、単独の波長ラベルソース端に同一の波長ラベル周波数をロードして波長ラベル信号を送信した後、波長ラベル受信装置が受信したこの波長ラベル信号の振幅値に基づいて確定した振幅範囲を指し、
前記参照位相範囲は、単独の波長ラベルソース端に同一の波長ラベル周波数を使用して波長ラベル信号を送信した後、波長ラベル受信装置が受信したこの波長ラベル信号の位相値に基づいて確定した位相範囲を指す請求項１に記載の方法。
【請求項３】
前記波長ラベル受信装置は、受信した、波長ラベル周波数をロードすることにより伝送した波長ラベル信号の複数の振幅値に基づいて平均振幅値を確定し、前記平均振幅値を中心とし且つ被覆径長が前記平均振幅値の予め設定された比率である範囲を前記参照振幅範囲とし、
前記波長ラベル受信装置は、受信した、波長ラベル周波数をロードすることにより伝送した波長ラベル信号の複数の位相値に基づいて平均位相値を確定し、前記平均位相値を中心とし且つ被覆径長が予め設定された誤差位相値である範囲を前記参照位相範囲とする請求項２に記載の方法。
【請求項４】
前記予め設定された比率の値の範囲は５％〜１０％であり、前記予め設定された誤差位相値の範囲は５°〜１０°である請求項３に記載の方法。
【請求項５】
波長ラベル衝突検出ユニットを備える波長ラベル衝突検出装置であって、
前記波長ラベル衝突検出ユニットは、スペクトル解析モジュール及び衝突検出モジュールを備え、
前記スペクトル解析モジュールは、受信された波長ラベル信号をスペクトル解析するように設置され、
前記衝突検出モジュールは、前記スペクトル解析モジュールの解析結果に基づいて、以下の２つの条件、即ち
対応する波長ラベル信号が波長ラベル周波数をロードすることにより伝送される波長ラベル信号であるＭ個の時間窓にＮ個の連続的な時間窓が存在し、前記Ｎ個の時間窓に対応するＮ個の波長ラベル信号の振幅値の間の差の最大値が予め設定された振幅の閾値よりも小さく、且つその振幅値がいずれも参照振幅範囲以外であり、前記Ｍ及びＮがいずれも１より大きい整数であるという条件、
対応する波長ラベル信号が波長ラベル周波数をロードすることにより伝送した波長ラベル信号であるＭ個の時間窓にＮ個の連続的な時間窓が存在し、前記Ｎ個の時間窓に対応するＮ個の波長ラベル信号の振幅値の間の差の最大値は予め設定された振幅の閾値よりも小さく、且つその位相値の間の差の最大値は予め設定された位相閾値より小さく、且つその位相値はいずれも参照位相範囲以外であり、前記Ｍ及びＮはいずれも１より大きい整数であるという条件のうちの少なくとも１つが満たされたと判断した場合、波長ラベルが衝突すると判定するように設置される波長ラベル衝突検出装置。
【請求項６】
範囲確定モジュールを更に備え、
前記範囲確定モジュールは、単独の波長ラベルソース端が同一の波長ラベル周波数を使用して送信した波長ラベル信号を受信した後、受信したこの波長ラベル信号の振幅値に基づいて参照振幅範囲を確定し、及び単独の波長ラベルソース端が同一の波長ラベル周波数を使用して送信した波長ラベル信号を受信した後、受信したこの波長ラベル信号の位相値に基づいて参照位相範囲を確定するように設置される請求項５に記載の装置。
【請求項７】
前記範囲確定モジュールは、受信した、波長ラベル周波数をロードすることにより伝送した波長ラベル信号の複数の振幅値に基づいて平均振幅値を確定し、前記平均振幅値を中心とし且つ被覆径長が前記平均振幅値の予め設定された比率である範囲を前記参照振幅範囲とし、及び受信した、波長ラベル周波数をロードすることにより伝送した波長ラベル信号の複数の位相値に基づいて平均位相値を確定し、前記平均位相値を中心とし且つ被覆径長が予め設定された誤差位相値である範囲を前記参照位相範囲とするように設置される請求項６に記載の装置。
【請求項８】
前記予め設定された比率の値の範囲は５％〜１０％であり、前記予め設定された誤差位相値は５°〜１０°である請求項７に記載の装置。
【請求項９】
順次接続された分光器、光電変換ユニット、信号調整ユニット、アナログデジタル変換器、及び波長ラベル衝突検出ユニットを備える波長ラベル受信装置であって、
前記信号調整ユニットは、電気信号に対してフィルタリング及び電圧又は電流の拡大処理を行うように設置され、
前記波長ラベル衝突検出ユニットは、スペクトル解析モジュール及び衝突検出モジュールを備え、
前記スペクトル解析モジュールは、受信された波長ラベル信号をスペクトル解析するように設置され、
前記衝突検出モジュールは、前記スペクトル解析モジュールの解析結果に基づいて、以下の２つの条件、即ち
対応する波長ラベル信号が波長ラベル周波数をロードすることにより伝送した波長ラベル信号であるＭ個の時間窓にＮ個の連続的な時間窓が存在し、前記Ｎ個の時間窓に対応するＮ個の波長ラベル信号の振幅値の間の差の最大値は予め設定された振幅の閾値よりも小さく、且つその振幅値はいずれも正常な参照振幅範囲以外であり、前記Ｍ及びＮはいずれも１より大きい整数であるという条件、
対応する波長ラベル信号が波長ラベル周波数をロードすることにより伝送した波長ラベル信号であるＭ個の時間窓にＮ個の連続的な時間窓が存在し、前記Ｎ個の時間窓に対応するＮ個の波長ラベル信号の振幅値の間の差の最大値は予め設定された振幅の閾値よりも小さく、且つその位相値の間の差の最大値は予め設定された位相閾値より小さく、且つその位相値はいずれも正常な参照位相範囲以外であり、前記Ｍ及びＮはいずれも１より大きい整数であるという条件のうちの少なくとも１つが満たされたと判断した場合、波長ラベルが衝突すると判定するように設置される波長ラベル受信装置。
【請求項１０】
前記波長ラベル衝突検出ユニットは参照振幅範囲確定モジュールをさらに備え、
前記参照振幅範囲確定モジュールは、単独の波長ラベルソース端が同一の波長ラベル周波数を使用して送信した波長ラベル信号を受信した後、受信したこの波長ラベル信号の振幅値に基づいて参照振幅範囲を確定し、及び単独の波長ラベルソース端が同一の波長ラベル周波数を使用して送信した波長ラベル信号を受信した後、受信したこの波長ラベル信号の位相値に基づいて参照位相範囲を確定するように設置される請求項９に記載の波長ラベル受信装置。
【請求項１１】
前記範囲確定モジュールは、受信した、波長ラベル周波数をロードすることにより伝送した波長ラベル信号の複数の振幅値に基づいて平均振幅値を確定し、前記平均振幅値を中心とし且つ被覆径長が前記平均振幅値の予め設定された比率である範囲を前記正常な参照振幅範囲とし、及び受信した、波長ラベル周波数をロードすることにより伝送した波長ラベル信号の複数の位相値に基づいて平均位相値を確定し、前記平均位相値を中心とし且つ被覆径長が予め設定された誤差位相値である範囲を前記正常な参照位相範囲とするように設置された請求項１０に記載の波長ラベル受信装置。
【発明の詳細な説明】
【技術分野】
【０００１】
本発明は光通信技術分野に関し、特に波長ラベル衝突検出方法及び装置、並びに波長ラベル受信装置に関する。
【背景技術】
【０００２】
波長分割多重ＷＤＭ（Ｗａｖｅｌｅｎｇｔｈ  Ｄｉｖｉｓｉｏｎ  Ｍｕｌｔｉｐｌｅｘ）技術の発展に伴って、従来の光通信ネットワークは同一の光ファイバにおいて同時に几十数乃至数百の波長の光信号を伝送することができ、且つ再構成可能な光アドドロップマルチプレクサＲＯＡＤＭ（Ｒｅｃｏｎｆｉｇｕｒａｂｌｅ  Ｏｐｔｉｃａｌ  Ａｄｄ−Ｄｒｏｐ  Ｍｕｌｔｉｐｌｅｘｅｒ）の技術に基づいて、光通信における各波長の必要による設定に便利を与え、光ネットワークにおける各波長が２つのサイトの間に同じパスを維持せず、又はある波長も常にある２つのサイトに割り当てられていない。
【０００３】
波長ラベル技術は中国郵電業界標準ＹＤ／Ｔ  ２００３−２００９「再構成可能な光アドドロップ多重化（ＲＯＡＤＭ）装置技術要件”の付属書Ｄを参照することができ、ＲＯＡＤＭ応用における波長パストレース監視（波長ラベル）技術を紹介している。波長パスの始点ノードは、波長信号が波長分割ネットワークに入る前にエンコーダにより変調符号化を行い、波長信号ごとに一つのネットワーク全体の唯一の識別子（波長ラベル）を追加し、波長パスの通過した各ノードの各参照点において、いずれも埋め込まれた波長ラベル検出器により該点を通過した各波長のラベルを監視し、識別することができる。
【０００４】
波長ラベルにかかわるパイロットトーン技術は、波長分割多重システムにおいて波長ごとに一つのパイロットトーン（ｐｉｌｏｔ  ｔｏｎｅ）信号をロードし、複数種の特殊な応用を実現可能であり、これが業界で早く研究していた。パイロットトーン信号は低周波ディザ（ｌｏｗ−ｆｒｅｑｕｅｎｃｙ  ｄｉｔｈｅｒ）信号とも称され、波長信号がパイロットトーン信号をロードすることによる伝送性能への影響はほとんど無視できる。例えば、１９９３年イギリスＢＴ実験室、スウェーデンＥｒｉｃｓｓｏｎ等の複数の機構が光波技術ジャーナルに共同掲載した光ネットワークネットワークエレメントに基づくトランスポートネットワーク層（Ａ  ｔｒａｎｓｐｏｒｔ  ｎｅｔｗｏｒｋ  ｌａｙｅｒ  ｂａｓｅｄ  ｏｎ  ｏｐｔｉｃａｌ  ｎｅｔｗｏｒｋ  ｅｌｅｍｅｎｔｓ）は、パイロットトーン信号を利用して波長分割多重システムにおいて故障管理に必要な波長通路の確認及び電力管理を実現することを提案しており、更に、１９９４年カナダＮｏｒｔｅｌ社のＫｉｍ  Ｂ．Ｒｏｂｅｒｔｓの開示番号ＵＳ  ００５５１３０２９の特許文献である光伝送システムの性能監視の方法及び装置（ｍｅｔｈｏｄ  ａｎｄ  ａｐｐａｒａｔｕｓ  ｆｏｒ  ｍｏｎｉｔｏｒｉｎｇ  ｐｅｒｆｏｒｍａｎｃｅ  ｏｆ  ｏｐｔｉｃａｌ  ｔｒａｎｓｍｉｓｓｉｏｎ  ｓｙｓｔｅｍｓ）は光アンプ性能を監視する方法、即ち変調度が既知であるパイロットトーン信号を監視し、光アンプの信号及びノイズ成分の推定を実現することを提案しており、また、更に１９９６年アメリカベル研究所のＦｒｅｄ  ＨｅｉｓｍａｎｎらがＥＣＯＣ’９６ミーティングに発表した論文番号ＷｅＢ２．２の多波長光ネットワークにおける信号追跡及び性能監視（ｓｉｇｎａｌ  ｔｒａｃｋｉｎｇ  ａｎｄ  ｐｅｒｆｏｒｍａｎｃｅ  ｍｏｎｉｔｏｒｉｎｇ  ｉｎ  ｍｕｌｔｉ−ｗａｖｅｌｅｎｇｔｈ  ｏｐｔｉｃａｌ  ｎｅｔｗｏｒｋｓ）は波長分割多重ネットワークがオンライン式波長ルーティング追跡を実現する方案を開示しており、即ち、各波長は一つの唯一無二であるパイロットトーン信号を変調し、且つ周波数シフトキーイング方式によりデジタル情報の符号化を行い、光ネットワークにおける任意サイトにおいてパイロットトーン信号を監視し、それによりネットワーク全体の波長ルーティング情報を取得することができる。
【０００５】
受信装置は、各波長ラベル周波数の時間窓内での振幅、位相等の変化に基づいて、始点が送信した波長ラベル情報を検出することができるが、関連技術において波長衝突の検出方法が与えられない。
【発明の概要】
【発明が解決しようとする課題】
【０００６】
本発明の実施例は波長ラベル衝突検出方法及び装置、並びに波長ラベル受信装置を提供し、波長ラベル信号衝突検出に解決手段を提供する。
【課題を解決するための手段】
【０００７】
本発明の実施例による波長ラベル衝突検出方法は、受信された波長ラベル信号をスペクトル解析し、以下の２つの条件、即ち、
対応する波長ラベル信号が波長ラベル周波数をロードすることにより伝送した波長ラベル信号であるＭ個の時間窓にＮ個の連続的な時間窓が存在し、前記Ｎ個の時間窓に対応するＮ個の波長ラベル信号の振幅値の差の最大値は予め設定された振幅の閾値よりも小さく、且つその振幅値はいずれも正常な参照振幅範囲以外であり、前記Ｍ及びＮはいずれも１より大きい整数であるという条件、
対応する波長ラベル信号が波長ラベル周波数をロードすることにより伝送した波長ラベル信号であるＭ個の時間窓にＮ個の連続的な時間窓が存在し、前記Ｎ個の時間窓に対応するＮ個の波長ラベル信号の振幅値の差の最大値は予め設定された振幅の閾値よりも小さく、且つその位相値の差の最大値は予め設定された位相閾値より小さく、且つその位相値はいずれも正常な参照位相範囲以外であり、前記Ｍ及びＮはいずれも１より大きい整数であるという条件のうちの少なくとも１つが満たされたと判断した場合、波長ラベルが衝突すると判定することを含む。
【０００８】
好ましくは、上記方法は、
前記正常な参照振幅範囲は独立的な波長ラベル始点が同一の波長ラベル周波数をロードして波長ラベル信号を送信した後、波長ラベル受信装置が受信したこの波長ラベル信号の振幅値に基づいて確定した振幅範囲を指し、
前記正常な参照位相範囲は独立的な波長ラベル始点が同一の波長ラベル周波数を使用して波長ラベル信号を送信した後、波長ラベル受信装置が受信したこの波長ラベル信号の位相値に基づいて確定した位相範囲を指すことを更に特徴とする。
【０００９】
好ましくは、上記方法は、
前記波長ラベル受信装置は、受信した、波長ラベル周波数をロードすることにより伝送した波長ラベル信号の複数の振幅値に基づいて平均振幅値を確定し、前記平均振幅値を中心とし且つ被覆径長が前記平均振幅値の予め設定された比率である範囲を前記正常な参照振幅範囲とし、
前記波長ラベル受信装置は、受信した、波長ラベル周波数をロードすることにより伝送した波長ラベル信号の複数の位相値に基づいて平均位相値を確定し、前記平均位相値を中心とし且つ被覆径長が予め設定された誤差位相値である範囲を前記正常な参照位相範囲とすることを更に特徴とする。
【００１０】
好ましくは、上記方法は、
前記予め設定された比率の値の範囲は５％〜１０％であり、前記予め設定された誤差位相値の範囲は５°〜１０°であることを更に特徴とする。
【００１１】
本発明の実施例は波長ラベル衝突検出装置を更に提供しており、前記装置は波長ラベル衝突検出ユニットを備え、前記波長ラベル衝突検出ユニットは、スペクトル解析モジュール及び衝突検出モジュールを備え、
前記スペクトル解析モジュールは、受信された波長ラベル信号をスペクトル解析するように設置され、
前記衝突検出モジュールは、前記スペクトル解析モジュールの解析結果に基づいて、以下の２つの条件、即ち、
対応する波長ラベル信号が波長ラベル周波数をロードすることにより伝送した波長ラベル信号であるＭ個の時間窓にＮ個の連続的な時間窓が存在し、前記Ｎ個の時間窓に対応するＮ個の波長ラベル信号の振幅値の差の最大値は予め設定された振幅の閾値よりも小さく、且つその振幅値はいずれも正常な参照振幅範囲以外であり、前記Ｍ及びＮはいずれも１より大きい整数であるという条件、
対応する波長ラベル信号が波長ラベル周波数をロードすることにより伝送した波長ラベル信号であるＭ個の時間窓にＮ個の連続的な時間窓が存在し、前記Ｎ個の時間窓に対応するＮ個の波長ラベル信号の振幅値の差の最大値は予め設定された振幅の閾値よりも小さく、且つその位相値の差の最大値は予め設定された位相閾値より小さく、且つその位相値はいずれも正常な参照位相範囲以外であり、前記Ｍ及びＮはいずれも１より大きい整数であるという条件のうちの少なくとも１つが満たされたと判断した場合、波長ラベルが衝突すると判定するように設置される。
【００１２】
好ましくは、上記装置は、
前記装置は範囲確定モジュールを更に備え、
前記範囲確定モジュールは、独立的な波長ラベル始点が同一の波長ラベル周波数を使用して送信した波長ラベル信号を受信した後、受信したこのラベル信号の振幅値に基づいて参照振幅範囲を確定し、及び独立的な波長ラベル始点が同一の波長ラベル周波数を使用して送信した波長ラベル信号を受信した後、受信したこの波長ラベル信号の位相値に基づいて参照位相範囲を確定するように設置されることを更に特徴とする。
【００１３】
好ましくは、上記装置は、
前記範囲確定モジュールは、受信した、波長ラベル周波数をロードすることにより伝送した波長ラベル信号の複数の振幅値に基づいて平均振幅値を確定し、前記平均振幅値を中心とし且つ被覆径長が前記平均振幅値の予め設定された比率である範囲を前記参照振幅範囲とし、及び受信した、波長ラベル周波数をロードすることにより伝送した波長ラベル信号の複数の位相値に基づいて平均位相値を確定し、前記平均位相値を中心とし且つ被覆径長が予め設定された誤差位相値である範囲を前記参照位相範囲とするように設置されることを更に特徴とする。
【００１４】
好ましくは、上記装置は、
前記予め設定された比率の値の範囲は５％〜１０％であり、前記予め設定された誤差位相値は５°〜１０°であることを更に特徴とする。
【００１５】
本発明の実施例は波長ラベル受信装置を更に提供しており、前記波長ラベル受信装置は、順次接続された分光器、光電変換ユニット、信号調整ユニット、アナログデジタル変換器、及び波長ラベル衝突検出ユニットを備え、
前記波長ラベル衝突検出ユニットは、スペクトル解析モジュール及び衝突検出モジュールを備え、
前記スペクトル解析モジュールは、受信された波長ラベル信号をスペクトル解析するように設置され、
前記衝突検出モジュールは、前記スペクトル解析モジュールの解析結果に基づいて、以下の２つの条件、即ち、
対応する波長ラベル信号が波長ラベル周波数をロードすることにより伝送した波長ラベル信号であるＭ個の時間窓にＮ個の連続的な時間窓が存在し、前記Ｎ個の時間窓に対応するＮ個の波長ラベル信号の振幅値の差の最大値は予め設定された振幅の閾値よりも小さく、且つその振幅値はいずれも正常な参照振幅範囲以外であり、前記Ｍ及びＮはいずれも１より大きい整数であるという条件、
対応する波長ラベル信号が波長ラベル周波数をロードすることにより伝送した波長ラベル信号であるＭ個の時間窓にＮ個の連続的な時間窓が存在し、前記Ｎ個の時間窓に対応するＮ個の波長ラベル信号の振幅値の差の最大値は予め設定された振幅の閾値よりも小さく、且つその位相値の差の最大値は予め設定された位相閾値より小さく、且つその位相値はいずれも正常な参照位相範囲以外であり、前記Ｍ及びＮはいずれも１より大きい整数であるという条件のうちの少なくとも１つが満たされたと判断した場合、波長ラベルが衝突すると判定するように設置される。
【００１６】
好ましくは、上記波長ラベル受信装置は、
前記波長ラベル衝突検出ユニットは参照振幅範囲確定モジュールをさらに備え、
前記参照振幅範囲確定モジュールは、独立的な波長ラベル始点が同一の波長ラベル周波数を使用して送信した波長ラベル信号を受信した後、受信したこのラベル信号の振幅値に基づいて参照振幅範囲を確定するように設置され、好ましくは、受信した、波長ラベル周波数をロードすることにより伝送した波長ラベル信号の複数の振幅値に基づいて平均振幅値を確定してもよく、前記平均振幅値を中心とし且つ被覆径長が前記平均振幅値の予め設定された比率で範囲を前記正常な参照振幅範囲とし、
前記参照振幅範囲確定モジュールは、独立的な波長ラベル始点が同一の波長ラベル周波数を使用して送信した波長ラベル信号を受信した後、受信したこの波長ラベル信号の位相値に基づいて参照位相範囲を確定するように更に設置され、好ましくは、受信した、波長ラベル周波数をロードすることにより伝送した波長ラベル信号の複数の位相値に基づいて平均位相値を確定してもよく、前記平均位相値を中心とし且つ被覆径長が予め設定された誤差位相値である範囲を前記正常な参照位相範囲とすることを更に特徴とする。
【発明の効果】
【００１７】
本発明の実施例は波長ラベルスペクトルにおける振幅及び位相を解析することにより波長ラベル衝突が発生したかどうかを判断し、ラベル受信装置の性能を向上させることができる。
【図面の簡単な説明】
【００１８】
【図１】図１は波長ラベル受信装置の構造図である。
【図２】図２は波長衝突検出ユニットの構造図である。
【図３】図３は波長ラベル衝突検出方法の模式図である。
【図４】図４は独立的な波長ラベル始点が波長ラベル周波数をロードして伝送する波長ラベル信号の振幅及び位相値範囲の模式図である。
【図５】図５は具体的な実施例一における時間窓内の波長ラベル信号のスペクトルパラメータの模式図である。
【図６】図６は具体的な実施例二における時間窓内の波長ラベル信号のスペクトルパラメータの模式図である。
【図７】図７は具体的な実施例三における時間窓内の波長ラベル信号のスペクトルパラメータの模式図である。
【図８】図８は具体的な実施例四における時間窓内の波長ラベル信号のスペクトルパラメータの模式図である。
【発明を実施するための形態】
【００１９】
波長ラベル情報は波長上に低周波信号を負荷する各種パラメータ、例えば、振幅、周波数、位相等で表示してもよく、波長ラベル始点は波長ラベル情報を符号化して二進数の形、例えば「１」及び「０」に変換して表現することができる。ラベル始点が波長ラベル周波数の１つ又は複数の時間窓（時間窓の長さはスペクトル解析のサンプリング周波数及びサンプリングポイント数により確定される）をロードすることは、一般的に波長ラベル情報二進数における「１」であるように符号化され、ラベル始点が波長ラベル周波数の１つ又は複数の時間窓をロードしていないことは、一般的に波長ラベル情報二進数における「０」であるように符号化され、受信端はサンプリングされた波長ラベル信号に基づいて時間窓を単位としてスペクトル解析を行って波長ラベル信号の振幅及び位相等のパラメータを取得し、次に１つ又は複数の時間窓の波長ラベル周波数における振幅又は／及び位相情報に基づいて、各波長ラベル周波数における二進数信号を区別する。１を伝達する時間窓はこの時間窓内の信号が波長ラベル周波数をロードすることにより伝送した波長ラベル信号であることを指し、０を伝達する時間窓はこの時間窓内の信号がこの波長ラベル周波数をロードせずままに伝送した波長ラベル信号であることを指す。受信端は連続的な１つ又は複数の時間窓内において１信号を受信した後、ラベル始点が送信した１ビット又は１ボー信号を受信したと確定する。受信端は連続的な各時間窓内の波長ラベル信号の振幅及び／又は位相等のパラメータに基づいて、それにより波長ラベル情報を取得する。
【００２０】
図１に示すように、波長ラベル受信装置は、順次接続された分光器１１、光電変換ユニット１２、信号調整ユニット１３、アナログデジタル変換器１４、波長ラベル衝突検出ユニット１５を備える。
【００２１】
分光器１１は波長ラベルを携帯している光信号から一部の光信号（例えば分光の割合が１％〜５％）を光電変換ユニット１２に分離する。
【００２２】
光電変換ユニット１２は受信した光信号を電気信号に変換する。
【００２３】
信号調整ユニット１３は、電気信号を処理し、フィルタリング及び拡大等の機能を含み、電流信号を電圧信号に変換する機能を含んでもよい。
【００２４】
アナログデジタル変換器１４は、電気信号に対するアナログデジタル変換を完成し、且つ変換後のデジタル信号を波長ラベル衝突検出ユニット１５に送信する。
【００２５】
波長ラベル衝突検出ユニット１５は、デジタル信号を利用してＣＺＴ変換を行い、波長ラベル信号のスペクトル解析を完成し、波長ラベルの各時間窓内の実部データ及び虚部データを得て、更にその振幅値及び位相値を得て、波長ラベル衝突が発生したかどうかを解析する。
【００２６】
図２に示すように、波長ラベル衝突検出ユニット１５はスペクトル解析モジュール１６及び衝突検出モジュール１７を備える。
【００２７】
前記スペクトル解析モジュールは、受信された波長ラベル信号をスペクトル解析するように設置され、
前記衝突検出モジュールは、前記スペクトル解析モジュールの解析結果に基づいて、以下の２つの条件、即ち、
対応する波長ラベル信号が波長ラベル周波数をロードすることにより伝送した波長ラベル信号であるＭ個の時間窓にＮ個の連続的な時間窓が存在し、前記Ｎ個の時間窓に対応するＮ個の波長ラベル信号の振幅値の差の最大値は予め設定された振幅の閾値よりも小さく、且つその振幅値はいずれも参照振幅範囲以外であり、前記Ｍ及びＮはいずれも１より大きい整数であるという条件一、
対応する波長ラベル信号が波長ラベル周波数をロードすることにより伝送した波長ラベル信号であるＭ個の時間窓にＮ個の連続的な時間窓が存在し、前記Ｎ個の時間窓に対応するＮ個の波長ラベル信号の振幅値の差の最大値は予め設定された振幅の閾値よりも小さく、且つその位相値の差の最大値は予め設定された位相閾値より小さく、且つその位相値はいずれも参照位相範囲以外であり、前記Ｍ及びＮはいずれも１より大きい整数であるという条件二のうちの少なくとも１つが満たされたと判断した場合、波長ラベルが衝突すると判定するように設置される。
【００２８】
参照振幅範囲及び参照位相範囲は波長ラベル受信装置中に予め設定された範囲であってもよい。
【００２９】
波長ラベル衝突検出ユニット１５は、範囲確定モジュールを更に備えてもよく、参照振幅範囲及び参照位相範囲は波長ラベル始点が同一の波長ラベル周波数をロードして波長ラベル信号を送信した後、範囲確定モジュール１８が受信した信号に基づいて計算して得られた範囲であってもよい。
【００３０】
前記範囲確定モジュール１８は、独立的な波長ラベル始点が同一の波長ラベル周波数を使用して送信した波長ラベル信号を受信した後、受信したこのラベル信号の振幅値に基づいて振幅範囲を確定するように設置され、好ましくは、受信した、波長ラベル周波数をロードすることにより伝送した波長ラベル信号の複数の振幅値に基づいて平均振幅値を確定してもよく、前記平均振幅値を中心とし且つ被覆径長が前記平均振幅値の予め設定された比率である範囲を前記正常な参照振幅範囲とする。
【００３１】
前記範囲確定モジュール１８は、独立的な波長ラベル始点が同一の波長ラベル周波数を使用して送信した波長ラベル信号を受信した後、受信したこの波長ラベル信号の位相値に基づいて位相範囲を確定するように更に設置され、好ましくは、受信した、波長ラベル周波数をロードすることにより伝送した波長ラベル信号の複数の位相値に基づいて平均位相値を確定してもよく、前記平均位相値を中心とし且つ被覆径長が予め設定された誤差位相値である範囲を前記正常な参照位相範囲とする。
【００３２】
前記予め設定された比率の値の範囲は５％〜１０％であり、前記予め設定された誤差位相値は５°〜１０°である。
【００３３】
上記波長ラベル受信装置以外、本方案は波長ラベル衝突検出装置を更に提供しており、上記波長ラベル衝突検出ユニット１５を備え、波長ラベル衝突検出ユニットの構造及び機能は上記と同一であり、ここでは繰り返して説明しない。
【００３４】
図３に示すように、波長ラベル衝突検出方法は、受信された波長ラベル信号をスペクトル解析し、以下の２つの条件、即ち、
対応する波長ラベル信号が波長ラベル周波数をロードすることにより伝送した波長ラベル信号であるＭ個の時間窓にＮ個の連続的な時間窓が存在し、前記Ｎ個の時間窓に対応するＮ個の波長ラベル信号の振幅値の差の最大値は予め設定された振幅の閾値よりも小さく、且つその振幅値はいずれも参照振幅範囲以外であり、前記Ｍ及びＮはいずれも１より大きい整数であるという条件Ａ、
対応する波長ラベル信号が波長ラベル周波数をロードすることにより伝送した波長ラベル信号であるＭ個の時間窓にＮ個の連続的な時間窓が存在し、前記Ｎ個の時間窓に対応するＮ個の波長ラベル信号の振幅値の差の最大値は予め設定された振幅の閾値よりも小さく、且つその位相値の差の最大値は予め設定された位相閾値より小さく、且つその位相値はいずれも参照位相範囲以外であり、前記Ｍ及びＮはいずれも１より大きい整数であるという条件Ｂのうちの少なくとも１つが満たされたと判断した場合、波長ラベルが衝突すると判定することを含む。
【００３５】
前記参照振幅範囲は独立的な波長ラベル始点が同一の波長ラベル周波数をロードして波長ラベル信号を送信した後、波長ラベル受信装置が受信したこの波長ラベル信号の振幅値に基づいて確定した振幅範囲を指し、好ましくは、前記波長ラベル受信装置は、受信した、波長ラベル周波数をロードすることにより伝送した波長ラベル信号の複数の振幅値に基づいて平均振幅値を確定することができ、前記平均振幅値を中心とし且つ被覆径長が前記平均振幅値の予め設定された比率（予め設定された比率の値の範囲は５％〜１０％である）である範囲を前記参照振幅範囲とする。
【００３６】
前記参照位相範囲は独立的な波長ラベル始点が同一の波長ラベル周波数を使用して波長ラベル信号を送信した後、波長ラベル受信装置が受信したこの波長ラベル信号の位相値に基づいて確定した位相範囲を指す。前記波長ラベル受信装置は、受信した、波長ラベル周波数をロードすることにより伝送した波長ラベル信号の複数の位相値に基づいて平均位相値を確定し、前記平均位相値Ｘを中心とし且つ被覆径長が予め設定された誤差位相値Ｙである範囲を前記正常的な参照位相範囲、即ちＸ−Ｙ〜Ｘ＋Ｙの範囲とし、予め設定された誤差位相値Ｙの値の範囲は５°〜１０°である。
【００３７】
以下、具体的な実施例を参照しながら詳細に本解決手段を説明する。
【００３８】
図４は波長ラベル衝突がない時、波長ラベル信号をスペクトル解析した後の実部データ及び虚部データの模式図である。実部データ及び虚部データから、波長ラベル周波数をロードすることにより送信した波長ラベル信号の参照振幅値範囲Ａ及び参照位相値範囲Ｐ、波長ラベル周波数をロードせずに送信した波長ラベル信号の参照振幅値範囲Ｂ及び参照位相値範囲（０°〜３６０°の範囲である）を取得することができる。
【００３９】
本案の具体的な実施例中には、１を伝達することは波長ラベル周波数をロードすることにより波長ラベル信号を伝送する信号送信方式を指し、０を伝送することは波長ラベル周波数をロードせずに波長ラベル信号を伝送する信号送信方式を指す。
【００４０】
具体的な実施例一
両波長ラベル始点は同じ波長ラベル周波数を使用して波長ラベル情報を送信し、２つの波長ラベルの振幅が同じであり、位相が異なる場合、次の一組の時間窓において１を伝達する時の振幅及び位相値範囲を重ね合わせた後、振幅及び位相と、振幅範囲Ａ及び位相範囲Ｐとの相違をもたらす。
【００４１】
図５に示すように、２つの波長ラベルの振幅値範囲は略同じであるが、位相値に一定のばらつきが存在し、２つの波長ラベルはある時間窓内にいずれも１を送信する時、その重ね合わせた後の結果は、振幅が大幅に増加し、位相値も一定の変化が発生した可能性がある。復調端において、１を受信したと発見した時、位相上のジャンプ、振幅上のジャンプの両方もある。ある１組の時間窓内に、２つの波長ラベルが同時に１を送信する時、１個より多くの連続的な時間窓の振幅値が一定の範囲にあるが、振幅範囲に等しくなく、ある２つの波長ラベルが同時に１を送信していない時、１個より多くの連続的な時間窓の振幅値が一定の範囲にあり、振幅範囲Ａに属するが位相値が一定の範囲内にあり且つ位相範囲Ｐに属せず、この時、波長ラベルが衝突すると判断し警報することができる。
【００４２】
具体的な実施例二
両波長ラベル始点は同じ波長ラベル周波数を使用して波長ラベル情報を送信し、２つの波長ラベルの振幅が同じであり、位相も同じである場合、次の一組の時間窓において１を伝達する時の振幅及び位相値範囲を重ね合わせた後、振幅及び位相と、振幅範囲Ａ及び位相範囲Ｐとの相違をもたらす。
【００４３】
図６に示すように、２つの波長ラベルの振幅値範囲は同じであり、位相値範囲も同じである。２つの波長ラベルはある時間窓内にいずれも１を送信する時、その重ね合わせた後の結果は、振幅値が大幅に増加し（倍増）、位相値が変化していないことである。従って復調端において１を受信した時、位相上の変化がなく、振幅上にジャンプが存在することが現れる。ある１組の時間窓内に、１個より多くの連続的な時間窓の振幅値が一定の範囲にあるが、振幅範囲Ａに属しない。この時、波長ラベルが衝突すると判断し警報することができる。
【００４４】
具体的な実施例三  
両波長ラベル始点は同じ波長ラベル周波数を使用して波長ラベル情報を送信し、２つの波長ラベルの振幅は異なり、位相が異なる場合、次の一組の時間窓において１を伝達する時の振幅及び位相値範囲を重ね合わせた後、振幅及び位相と、振幅範囲Ａ及び位相範囲Ｐとの相違をもたらす。
【００４５】
図７に示すように、２つの波長ラベルの振幅値範囲は異なり、位相値も異なる。２つの波長ラベルはある時間窓内にいずれも１を送信する時、その重ね合わせた後の結果は、振幅が大幅に増加し、位相値も一定の変化が発生した可能性がある。従って復調端において、１を受信したと発見した時、位相上のジャンプ、振幅上のジャンプの両方もある。ある１組の時間窓内に、２つの波長ラベルが同時に１を送信する時、１個より多くの連続的な時間窓の振幅値が一定の範囲にあるが、振幅範囲Ａに等しくなく、同時に１を送信することがない時、別の同周波数波長ラベルが１を伝達する時の振幅及び位相は元の波長が１を伝達する時の振幅及び位相と異なり、即ち１個より多くの連続的な時間窓の振幅値が一定の範囲にあるが、振幅範囲Ａに属しない。この時、波長ラベルが衝突すると判断し警報することができる。
【００４６】
具体的な実施例四  
両波長ラベル始点は同じ波長ラベル周波数を使用して波長ラベル情報を送信し、２つの波長ラベルの振幅は異なり、位相は異なり且つその差が１８０°である場合、次の一組の時間窓において１を伝達する時の振幅及び位相値範囲を重ね合わせた後、振幅及び位相と、振幅範囲Ａ及び位相範囲Ｐとの相違をもたらす。
【００４７】
図８に示すように、２つの波長ラベルの振幅値範囲は異なり、位相値は異なり且つその差が１８０°であり、２つの波長ラベルはある時間窓内にいずれも１を送信する時、その重ね合わせた後の結果は、振幅が大幅に減少し、ひいては振幅は波長ラベルが０を伝達する時の振幅値範囲内に出現する可能性がある。従って復調端において、１を受信したと発見した時、位相上のジャンプ、振幅上のジャンプの両方もある。ある１組の時間窓内に、１個より多くの連続的な時間窓の振幅値が一定の範囲にあるが、振幅範囲Ａに属せず、又はある１組の時間窓内に、１個より多くの連続的な時間窓の振幅値が一定の範囲にあり、且つ位相値が一定の範囲内にあるが、位相範囲Ｐに等しくない。この時、波長ラベルが衝突すると判断し警報することができる。
【００４８】
具体的な実施例五
両波長ラベル始点は同じ波長ラベル周波数を使用して波長ラベル情報を送信し、２つの波長ラベルの振幅は同じであり、位相は異なり且つその角度の差により２つの波長ラベルはある時間窓内にいずれも１を送信する時、その重ね合わせた後の結果は、振幅範囲が変化せず、元の波長ラベルが独立に１を伝達する時の振幅範囲Ａに等しく、位相値が変化したことである場合、次の一組の時間窓において１を伝達する時の振幅及び位相値範囲を重ね合わせた後、振幅及び位相と、振幅範囲Ａ及び位相範囲Ｐとの相違をもたらす。
【００４９】
この場合、復調端において、１を受信したと発見した時、位相上のジャンプがあるが、振幅上のジャンプがない。ある１組の時間窓内に、１個より多くの連続的な時間窓の振幅値が一定の範囲にあり、振幅範囲Ａに等しく、且つ位相値が一定の範囲内にあるが、位相範囲Ｐに等しくない。この時、波長ラベルが衝突すると判断し警報することができる。
【００５０】
ただし、衝突がない場合、本願における実施例及び実施例における特徴は互いに任意に組み合せることができる。
【００５１】
もちろん、本発明は更に他の複数の種の実施例を有してもよく、本発明の趣旨とその実質を逸脱しない場合に、本分野に詳しい当業者は本発明に基づいて各種の相応する変更又は変形を行うことができ、これらの変更又は変形はいずれも本発明の請求の範囲の保護範囲に含まれる。
【００５２】
一般の当業者は、上記方法における全部又は一部のステップをプログラムによって関連ハードウェアに命令を出して完成させることができ、前記プログラムはコンピュータ読み取り可能な記憶媒体、例えば読取り専用メモリ、ディスク又は光ディスク等に記憶してもよいと理解することができる。選択肢として、上記実施例の全部又は一部のステップが１つ又は複数のＩＣにより実現されてもよい。それに対応して、上記実施例における各モジュール／ユニットはハードウェアの形式で実現されてもよく、ソフトウェア機能モジュールの形式で実現されてもよい。本発明はあらゆる特定形式のハードウェアとソフトウェアの組合せに限らない。
【産業上の利用可能性】
【００５３】
本発明の実施例は波長ラベルスペクトルにおける振幅及び位相を解析することにより波長ラベル衝突が発生したかどうかを判断し、ラベル受信装置の性能を向上させることができる。
【図１】
0005977883.tif 000002
【図２】
0005977883.tif 000003
【図３】
0005977883.tif 000004
【図４】
0005977883.tif 000005
【図５】
0005977883.tif 000006
【図６】
0005977883.tif 000007
【図７】
0005977883.tif 000008
【図８】
0005977883.tif 000009